【誤訳訂正書】
【提出日】平成24年12月4日(2012.12.4)
【誤訳訂正１】
【訂正対象書類名】特許請求の範囲
【訂正対象項目名】全文
【訂正方法】変更
【訂正の内容】
【特許請求の範囲】
【請求項１】
ディスプレイ上にイメージを表示する方法において、
ソースイメージのデータから複数のタイルを生成し、
前記タイルのサイズがブロックサイズの整数倍であるようにフォーマットされた記憶装置に、データがブロック境界と完全に整列されるように、前記複数のタイルが記憶されており、
前記各タイルの領域は前記ディスプレイ上に表示することができる領域以上であり、
前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
表示イメージを前記ディスプレイ上に表示するための第１の命令をインターフェース装置から受信し、
前記表示イメージを含む第１のタイルをオンスクリーンＶＲＡＭに記憶し、
観察するために前記表示イメージを前記オンスクリーンＶＲＡＭから前記ディスプレイへ転送し、
ユーザが前記表示イメージをパニングするとき、前記第１のタイルに隣接する第２のタイルをオフスクリーンＶＲＡＭに記憶するステップを含む方法。
【請求項２】
前記受信するステップは、前記複数のタイルの第２のタイルの部分にオーバーラップする前記第１のタイルの部分内に位置されている第１の表示イメージを前記ディスプレイ上に表示するための第１の命令を前記インターフェース装置から受信するステップを含む請求項１記載の方法。
【請求項３】
前記第１のタイルの部分にオーバーラップする前記第２のタイルの部分内に位置されている第２の表示イメージを前記ディスプレイ上に表示するための第２の命令を前記インターフェース装置から受信し、
前記第２の表示イメージが前記第２のタイル内に位置されていることを決定し、
観察するために前記第２のタイル内の前記第２の表示イメージを前記オフスクリーンＶＲＡＭから前記ディスプレイへ転送するステップをさらに含み、
前記第２の表示イメージは、前記第１の表示イメージと実質上同一である請求項２記載の方法。
【請求項４】
前記インターフェース装置から受信される第１の命令と前記第２の命令はユーザがパンするときに生成される請求項３記載の方法。
【請求項５】
ユーザは水平方向と垂直方向の一方でパンする請求項３記載の方法。
【請求項６】
前記第２のタイル内に位置されている第２の表示イメージを前記ディスプレイ上に表示するための第２の命令を前記インターフェース装置から受信し、
前記第２の表示イメージが前記第２のタイル内に位置されていることを決定し、
観察するために前記第２の表示イメージを前記オフスクリーンＶＲＡＭから前記ディスプレイへ転送するステップをさらに含む請求項１記載の方法。
【請求項７】
前記第１のタイルと前記第２のタイルを外部記憶装置中に記憶するステップをさらに含む請求項１記載の方法。
【請求項８】
前記第１のタイルと前記第２のタイルを前記外部記憶装置中に記憶するステップは、ネットワークにより前記第１のタイルと前記第２のタイルを前記外部記憶装置中に記憶するステップを含む請求項７記載の方法。
【請求項９】
前記受信するステップは、前記第１の命令を前記インターフェース装置から受信するステップを含み、前記インターフェース装置は前記第１のタイル内に位置する前記表示イメージを前記ディスプレイ上に表示するためのトラックボール、ジョイスティック、マウス、およびキーボードを含むグループから選択される請求項１記載の方法。
【請求項１０】
前記生成するステップは、複数のオーバーラップする水平のタイルを生成するステップを含み、１対の隣接するタイルは、前記ディスプレイ上に表示することができる領域以上の領域でオーバーラップしている請求項１記載の方法。
【請求項１１】
前記生成するステップは、複数のオーバーラップする水平のタイルおよびオーバーラップする垂直のタイルを生成するステップを含み、１対の隣接するタイルは、前記ディスプレイ上に表示することができる領域以上の領域でオーバーラップしている請求項１記載の方法。
【請求項１２】
前記生成するステップは、前記第１のタイルと前記第２のタイルを前記ソースイメージから生成し、前記第１のタイルと前記第２のタイルはそれぞれ、前記ディスプレイ上に表示することができる領域以上の領域でオーバーラップしている請求項１記載の方法。
【請求項１３】
ディスプレイ上にイメージを表示する方法において、
ソースイメージのデータから複数のタイルを生成し、
前記タイルのサイズがブロックサイズの整数倍であるようにフォーマットされた記憶装置に、データがブロック境界と完全に整列されるように、前記複数のタイルが記憶されており、
前記各タイルの領域は前記ディスプレイ上に表示することができる領域以上であり、
前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記第１のタイル内に位置されている前記表示イメージをディスプレイ上に表示するための第１の命令をインターフェース装置から受信し、
表示イメージを含む第１のタイルをオンスクリーンＶＲＡＭに記憶し、
前記表示イメージが前記第１のタイル内に位置されていることを決定し、
観察するために前記第１のタイルからの前記表示イメージを前記ディスプレイへ転送し、
ユーザが前記表示イメージをパニングするとき、前記第１のタイルに隣接する第２のタイルをオフスクリーンＶＲＡＭに記憶するステップを含み、
前記第１のタイルと前記第２のタイルはそれぞれ４つのタイルセクションを含み、各タイルセクションは幅６４０画素×高さ１４４０ラインであり、前記ディスプレイは１２８０×７２０画素の解像度を有している方法。
【請求項１４】
前記タイルセクション中の各画素は黒−白カラースペースイメージでは単一のバイトを、ＹＵＶカラースペースイメージでは２バイトを、ＲＧＢカラースペースイメージでは３バイトを含むグループから選択されたイメージデータを表している請求項１３記載の方法。
【請求項１５】
前記決定するステップは、前記表示イメージの２つの対角で対向するコーナーの画素が前記第１のタイル内に位置されていることを決定するステップを含む請求項１３記載の方法。
【請求項１６】
ディスプレイ上にイメージを表示する方法において、
ソースイメージのデータから複数のタイルを生成し、
前記タイルのサイズがブロックサイズの整数倍であるようにフォーマットされた記憶装置に、データがブロック境界と完全に整列されるように、前記複数のタイルが記憶されており、
前記各タイルの領域は前記ディスプレイ上に表示することができる領域以上であり、
前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記第１のタイル内に位置されている前記第１の表示イメージを前記ディスプレイ上に表示するための第１の命令をインターフェース装置から受信し、
第１の表示イメージを含む第１のタイルをオンスクリーンＶＲＡＭに記憶し、
前記第１の表示イメージが前記第１のタイル内に位置されていることを決定し、
観察するために前記第１のタイルからの前記第１の表示イメージを前記ディスプレイへ転送し、
前記第２のタイル内に位置され、主として前記第１のタイルと前記第２のタイルのオーバーラップ領域内に位置され、前記第１の表示イメージと事実上同一である前記第２の表示イメージを前記ディスプレイ上に表示するための第２の命令を前記インターフェース装置から受信し、
ユーザが前記第１の表示イメージをパニングするとき、第２の表示イメージを含み、前記第１のタイルに隣接する第２のタイルをオフスクリーンＶＲＡＭに記憶し、
前記第２の表示イメージが前記第２のタイル内に位置されていることを決定し、
観察するために前記第２のタイルからの前記第２の表示イメージを前記ディスプレイへ転送するステップを含み、
前記第１の表示イメージと前記第２の表示イメージとの間の転移は約１００分の１秒より小さい時間で行われる方法。
【請求項１７】
ディスプレイ上にイメージを表示する方法において、
ソースイメージのデータから複数のタイルを生成し、
前記タイルのサイズがブロックサイズの整数倍であるようにフォーマットされた記憶装置に、データがブロック境界と完全に整列されるように、前記複数のタイルが記憶されており、
前記各タイルの領域は前記ディスプレイ上に表示することができる領域以上であり、
前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記第１のタイル内に位置されている前記第１の表示イメージを前記ディスプレイ上に表示するための第１の命令をインターフェース装置から受信し、
第１の表示イメージを含む第１のタイルをオンスクリーンＶＲＡＭに記憶し、
前記第１の表示イメージが前記第１のタイル内に位置されていることを決定し、
観察するために前記第１のタイルからの前記第１の表示イメージを前記ディスプレイへ転送し、
前記第２のタイル内に位置され、主として前記第１のタイルと前記第２のタイルのオーバーラップ領域内に位置され、前記第１の表示イメージと事実上同一である前記第２の表示イメージを前記ディスプレイ上に表示するための第２の命令を前記インターフェース装置から受信し、
ユーザが前記第１の表示イメージをパニングするとき、第２の表示イメージを含み、前記第１のタイルに隣接する第２のタイルをオフスクリーンＶＲＡＭに記憶し、
前記第２の表示イメージが前記第２のタイル内に位置されていることを決定し、
観察するために前記第２のタイルからの前記第２の表示イメージを前記ディスプレイへ転送し、
ユーザが前記第２のタイル内でパンしている間に第３のタイルを前記オフスクリーンＶＲＡＭに記憶させるステップを含む方法。
【請求項１８】
前記ソースイメージは、地理的イメージ、化学的な化合物、生物学的化合物、有機物、解剖学的およびグラフィックイメージを有するグループから選択される請求項１７記載の方法。
【請求項１９】
前記第１のタイルと前記第２のタイルを圧縮し、圧縮されたタイルをディスクドライブに記憶するステップをさらに含む請求項１７記載の方法。
【請求項２０】
前記第１のタイルと前記第２のタイルをＶＲＡＭに記憶するステップの前に、前記第１のタイルと前記第２のタイルを圧縮解除するステップをさらに含む請求項１９記載の方法。
【請求項２１】
イメージを記憶する方法において、
（ａ）１つ以上のファイルからソースイメージを規定するイメージデータを読取り、
（ｂ）前記イメージデータから複数のタイルを生成し、
前記タイルのサイズがブロックサイズの整数倍であるようにフォーマットされた記憶装置に、データがブロック境界と完全に整列されるように、前記複数のタイルが記憶されており、
（ｉ）各タイルは２つ以上のタイルセクションを含み、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ii）各タイル中のタイルセクションのうちの１つ以上は隣接するタイル中の１つ以上のオーバーラップしているタイルセクションと実質上同一であり、
（iii）各タイルセクションの高さは前記複数のタイルが表示されるディスプレイの高さ以上であり、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶するステップを含む方法。
【請求項２２】
イメージを記憶する方法において、
（ａ）１つ以上のファイルからソースイメージを規定するイメージデータを読取り、
（ｂ）前記イメージデータから複数のタイルを生成し、
前記タイルのサイズがブロックサイズの整数倍であるようにフォーマットされた記憶装置に、データがブロック境界と完全に整列されるように、前記複数のタイルが記憶されており、
（ｉ）各タイルは２つ以上のタイルセクションを含み、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ii）各タイル中のタイルセクションのうちの１つ以上は隣接するタイル中の１つ以上のオーバーラップしているタイルセクションと実質上同一であり、
（iii)各タイルセクションの高さは前記複数のタイルが表示されるディスプレイの高さ以上であり、
２つ以上のタイルセクションのそれぞれは前記ディスプレイの幅に均等に分割可能な幅を有しており、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶するステップを含む方法。
【請求項２３】
イメージを記憶する方法において、
（ａ）１つ以上のファイルからソースイメージを規定するイメージデータを読取り、
（ｂ）前記イメージデータから複数のタイルを生成し、
前記タイルのサイズがブロックサイズの整数倍であるようにフォーマットされた記憶装置に、データがブロック境界と完全に整列されるように、前記複数のタイルが記憶されており、
（ｉ）各タイルは２つ以上のタイルセクションを含み、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ii）各タイル中のタイルセクションのうちの１つ以上は隣接するタイル中の１つ以上のオーバーラップしているタイルセクションと実質上同一であり、
（iii)各タイルセクションの高さは前記複数のタイルが表示されるディスプレイの高さ以上であり、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶するステップを含み、
前記イメージデータから前記複数のタイルを生成するステップは、前記イメージデータから少なくとも２つのタイルを生成するステップを含み、各タイルは４つのタイルセクションを含み、各タイル中のタイルセクションのうちの２つは隣接タイル中の２つのオーバーラップしているタイルセクションと実質上同一であり、２つのタイルセクションの幅はタイルが表示されるディスプレイの幅に等しく、各タイルセクションの高さはディスプレイの高さ以上である方法。
【請求項２４】
前記複数のタイルを記憶するステップは、前記複数のタイルをディスクドライブに記憶するステップを含む請求項２３記載の方法。
【請求項２５】
前記複数のタイルを記憶するステップは、前記複数のタイルを外部記憶装置に記憶するステップを含む請求項２３記載の方法。
【請求項２６】
イメージを記憶する方法において、
（ａ）１つ以上のファイルからソースイメージを規定するイメージデータを読取り、
（ｂ）前記イメージデータから複数のタイルを生成し、
前記タイルのサイズがブロックサイズの整数倍であるようにフォーマットされた記憶装置に、データがブロック境界と完全に整列されるように、前記複数のタイルが記憶されており、
（ｉ）各タイルは２つ以上のタイルセクションを含み、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ii）各タイル中のタイルセクションのうちの１つ以上は隣接するタイル中の１つ以上のオーバーラップしているタイルセクションと実質上同一であり、
（iii)各タイルセクションの高さは前記複数のタイルが表示されるディスプレイの高さ以上であり、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶し、
各タイルの各タイルセクションは前記イメージデータの行から形成され、前記複数のタイルを記憶するステップは第１の生成されたタイルで開始し、
（ｄ）タイルの第１のコーナーで順次開始しタイルの対角で対向するコーナーで終了するタイルの各行を記憶し、
（ｅ）隣接するオーバーラップしているタイルの第１のコーナーにスキップし、全てのタイルが記憶されるまでステップ（ｄ）を反復するステップを含む方法。
【請求項２７】
各タイルセクションの各行は、ディスプレイのカラースペースが黒−白であるとき１ブロックのデータを有し、前記ディスプレイのカラースペースがＹＵＶであるとき２ブロックのデータを有し、前記ディスプレイのカラースペースがＲＧＢであるとき３ブロックのデータを有している請求項２６記載の方法。
【請求項２８】
前記複数のタイルを記憶するステップは単一のファイルとして前記複数のタイルをディスクドライブに記憶するステップを含む請求項２６記載の方法。
【請求項２９】
前記ソースイメージは、地理的イメージ、化学的な化合物、生物学的化合物、有機物、解剖学的およびグラフィックイメージを有するグループから選択される請求項２６記載の方法。
【請求項３０】
前記複数のタイルを記憶するステップの前に、前記複数のタイルを圧縮するステップをさらに含む請求項２６記載の方法。
【請求項３１】
イメージを記憶する方法において、
（ａ）複数のタイルを含むようにフォーマットされたソースイメージを提供し、
前記タイルのサイズがブロックサイズの整数倍であるようにフォーマットされた記憶装置に、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、各タイルは画素の行によって規定されており、
（ｂ）タイルの第１のコーナーで順次開始し、タイルの対角で対向するコーナーで終了するタイルの各画素の行を記憶し、
（ｃ）隣接するオーバーラップしているタイルの第１のコーナーにスキップし、全てのタイルが記憶されるまでステップ（ｂ）を反復するステップを含み、
読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶する方法。
【請求項３２】
前記画素を記憶するステップの前に、前記画素を圧縮するステップをさらに含む請求項３１記載の方法。
【請求項３３】
前記記憶するステップは、画素をディスクドライブに記憶するステップを含む請求項３１記載の方法。
【請求項３４】
ディスクドライブからイメージデータを読取る方法において、
（ａ）（ｉ）ソースイメージのイメージデータのタイルの開始点を一度探すことと、
（ii）再度探すことなく、最初から最後まで前記タイルのデータの全てを読取ることとにより、
前記ディスクドライブから前記イメージデータを読取るように制御装置に命令し、
（ｂ）ディスプレイ上で観察するために前記タイルのデータを転送するステップを含み、
前記イメージデータは複数のタイルとして前記ディスクドライブに記憶されており、前記タイルのサイズがブロックサイズの整数倍であるようにフォーマットされたディスクドライブに、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、各タイルは連続するデータ流によって規定されており、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項３５】
前記転送するステップは、前記ディスプレイ上で観察するためにネットワークにより前記タイルのデータを転送するステップを含む請求項３４記載の方法。
【請求項３６】
前記ソースイメージのイメージデータはイメージ全体を表している請求項３４記載の方法。
【請求項３７】
ディスクドライブからイメージデータを読取る方法において、
（ａ）（ｉ）タイルのデータの開始点を探すことと、
（ii）最初から最後まで前記タイルのデータの全てを読取ることとにより、
前記ディスクドライブからソースイメージのイメージデータを読取るように制御装置に命令し、
（ｂ）ディスプレイ上で観察するために前記タイルのデータを転送するステップを含み、
前記イメージデータは複数のタイルとして前記ディスクドライブに記憶されており、前記タイルのサイズがブロックサイズの整数倍であるようにフォーマットされたディスクドライブに、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、各タイルは連続するデータ流によって規定されており、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項３８】
前記イメージデータを圧縮解除するステップをさらに含む請求項３７記載の方法。
【請求項３９】
イメージデータをディスクドライブから読取る方法において、
（ａ）前記ディスクドライブでソースイメージのイメージデータのタイルを一度探し、
（ｂ）再度ディスクドライブを探すことなく、最初から最後まで前記タイルのデータを読取り、
（ｃ）ディスプレイ上で観察するために前記タイルのデータを転送するステップを含み、
前記イメージデータは複数のタイルとして前記ディスクドライブに記憶されており、前記タイルのサイズがブロックサイズの整数倍であるようにフォーマットされたディスクドライブに、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、各タイルは連続するデータ流によって規定されており、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項４０】
前記転送するステップは、前記ディスプレイ上で観察するためにネットワークにより前記タイルのデータを転送するステップを含む請求項３９記載の方法。
【請求項４１】
前記イメージデータはイメージ全体を表している請求項３９記載の方法。
【請求項４２】
イメージデータをディスクドライブから読取る方法において、
（ａ）前記ディスクドライブ上でソースイメージの連続するイメージデータ流を探し、
（ｂ）最初から最後までイメージデータを読取り、
（ｃ）ディスプレイ上で観察するために前記イメージデータを転送するステップを含み、
前記イメージデータは複数のタイルとして前記ディスクドライブに記憶されており、前記タイルのサイズがブロックサイズの整数倍であるようにフォーマットされたディスクドライブに、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項４３】
スケールされたイメージをディスプレイ上に表示する方法において、
（ａ）ソースイメージを記憶装置に記憶し、
（ｂ）前記ソースイメージの多数のスケールされたレベルを生成して記憶する命令を受信し、
（ｃ）前記命令にしたがって前記ソースイメージをスケールし、
（ｄ）スケールされたレベルを前記記憶装置に記憶し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ｅ）前記スケールされたイメージ内の表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含み、
スケールファクタは０と１の間の小数点第３位までの数と、０と１の間の小数点第５位までの数と、０と１の間の小数点第１０位までの数からなるグループから選択される方法。
【請求項４４】
スケールされたイメージをディスプレイ上に表示する方法において、
（ａ）ソースイメージを記憶装置に記憶し、
（ｂ）前記ソースイメージの多数のスケールされたレベルを生成して記憶する命令を受信し、
（ｃ）前記命令にしたがって前記ソースイメージをスケールし、
（ｄ）スケールされたレベルを前記記憶装置に記憶し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
各タイルは２つ以上のタイルセクションを含み、各タイルセクションの幅の倍数が、ディスプレイの幅であり、各タイルセクションの高さはディスプレイの高さ以上であり、
（ｅ）前記スケールされたイメージ内の表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項４５】
前記スケールされたレベルを前記記憶装置に記憶するステップの前に、前記スケールされたレベルを圧縮するステップをさらに含む請求項４４記載の方法。
【請求項４６】
前記スケールされたソースイメージレベルの圧縮を解除し、ディスプレイ上で観察するために前記スケールされたソースイメージレベルを転送するステップをさらに含む請求項４５記載の方法。
【請求項４７】
前記スケールされたレベルを前記記憶装置に記憶するステップは、前記スケールされたレベルを順次前記記憶装置に記憶するステップを含む請求項４４記載の方法。
【請求項４８】
ソースイメージからの多重同期されたイメージを表示する方法において、
（ａ）第１の観察システムが残りの２つ以上の観察システムに対するマスターとして動作するように縦続に相互接続された２つ以上の観察システムを設け、
（ｂ）各観察システムに対してディスプレイを設け、
（ｃ）ソースイメージからのイメージを各ディスプレイ上に表示し、各イメージは隣接ディスプレイ上の、ソースイメージからのイメージと連続しており、
（ｄ）各ディスプレイ上に表示された連続イメージをパニングし、隣接イメージのエッジは毎秒３０回より多く同期され、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域は前記各ディスプレイ上に表示することができる領域以上であり、前記タイルのうち隣接する２つのタイルは前記各ディスプレイ上に表示することができる領域以上の領域でオーバーラップしており、該オーバーラップした領域の高さ及び幅は前記各ディスプレイ上に表示される領域の高さ及び幅以上であり、
（ｅ）第１のイメージを含む第１のタイルを第１のオンスクリーンＶＲＡＭに記憶し、観察するために第１のイメージを前記第１のオンスクリーンＶＲＡＭから第１のディスプレイへ転送し、前記第１のタイルに隣接する第２のタイルを第２のオンスクリーンＶＲＡＭに記憶し、ユーザが前記第１のイメージから第２のイメージにパニングするとき、観察するために前記第２のイメージを前記第２のオンスクリーンＶＲＡＭから第２のディスプレイへ転送するステップを含む方法。
【請求項４９】
前記パニングするステップは各ディスプレイ上に表示された連続イメージをパニングするステップを含み、前記隣接イメージのエッジは毎秒１００回より多く同期される請求項４８記載の方法。
【請求項５０】
各隣接イメージのエッジは毎秒５０００回より多く同期される請求項４８記載の方法。
【請求項５１】
前記連続イメージは並べて観察される地理的区域のイメージ、異なる角度で観察される事象イメージ、および異なるズームレベルで観察されるオブジェクトのイメージからなるグループから選択される請求項４８記載の方法。
【請求項５２】
前記観察システムは高速度データリンクを介して相互接続される請求項４８記載の方法。
【請求項５３】
イメージデータを検索する方法において、
複数のタイルを生成し、前記タイルのサイズがブロックサイズの整数倍であるようにフォーマットされた記憶装置に、データがブロック境界と完全に整列されるように、前記複数のタイルが記憶されており、前記各タイルの領域は出力装置上に表示することができる領域以上であり、前記タイルのうち隣接する２つのタイルは前記出力装置上に表示することができる領域以上の領域でオーバーラップしており、該オーバーラップした領域の高さ及び幅は前記出力装置上に表示される領域の高さ及び幅以上であり、
前記第１のタイル内に位置されている前記第１のイメージ部分を前記出力装置上に表示するための第１の命令をインターフェース装置から受信し、
第１のイメージ部分を含む第１のタイルをオンスクリーンＶＲＡＭに記憶し、
前記第１のイメージ部分が前記第１のタイル内に位置されていることを決定し、
前記第１のイメージ部分を前記第１のタイルから検索し、
ユーザが前記第１のイメージ部分をパニングするとき、前記第１のタイルに隣接する第２のタイルをオフスクリーンＶＲＡＭに記憶するステップを含む方法。
【請求項５４】
前記出力装置は表示装置を含む請求項５３記載の方法。
【請求項５５】
前記第１のイメージ部分の観察境界は前記出力装置のスクリーンの周縁部である請求項５３記載の方法。
【請求項５６】
前記第１のイメージ部分の観察境界はウィンドウである請求項５３記載の方法。
【請求項５７】
前記第２のタイル内に位置され、主として前記第１のタイルと前記第２のタイルのオーバーラップ領域内に位置され、前記第１のイメージ部分と実質上同一である前記第２のイメージ部分を前記出力装置上に表示するための第２の命令を前記インターフェース装置から受信し、
前記第２のイメージ部分が前記第２のタイル内に位置されていることを決定し、
前記第２のイメージ部分を前記第２のタイルから検索するステップをさらに含む請求項５３記載の方法。
【請求項５８】
イメージデータを検索する方法において、
ソースイメージの第１の部分の２つの対角で対向するコーナーのそれぞれの画素が前記ソースイメージから生成されたタイル内に位置されていることを決定し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記ソースイメージの前記第１の部分を前記第１のタイルから検索し、
前記第１の部分を含む第１のタイルをオンスクリーンＶＲＡＭに記憶し、
観察するために前記第１の部分を前記オンスクリーンＶＲＡＭから前記ディスプレイへ転送し、
ユーザが前記第１の部分をパニングするとき、前記第１のタイルに隣接する第２のタイルをオフスクリーンＶＲＡＭに記憶するステップを含む方法。
【請求項５９】
前記ディスプレイ上に前記第１のイメージ部分を表示するための第１の命令をインターフェース装置から受信するステップをさらに含む請求項５８記載の方法。
【請求項６０】
前記表示された第１のイメージ部分は実質的に前記ディスプレイの表面全体をカバーしている請求項５９記載の方法。
【請求項６１】
イメージを記憶する方法において、
（ａ）１つ以上のファイルからソースイメージを規定するイメージデータを読取り、
（ｂ）前記イメージデータから複数のタイルを生成し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ｉ）各タイルは２つ以上のタイルセクションを含み、
（ii）各タイル中のタイルセクションのうちの１つ以上は隣接するタイル中の１つ以上のオーバーラップしているタイルセクションと実質上同一であり、
（iii）各タイルセクションの高さは前記ディスプレイの観察境界の高さ以上であり、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶するステップを含む方法。
【請求項６２】
イメージを記憶する方法において、
（ａ）１つ以上のファイルからソースイメージを規定するイメージデータを読取り、
（ｂ）前記イメージデータから複数のタイルを生成し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
（ｉ）各タイルは２つ以上のタイルセクションを含み、各タイルの領域は前記ディスプレイの観察境界内に表示することができる領域以上であり、
（ii）各タイル中のタイルセクションのうちの１つ以上は隣接するタイル中の１つ以上のオーバーラップタイルセクションと実質上同一であり、
（iii）各タイルセクションの幅は前記ディスプレイの観察境界の幅以上であり、
（ｃ）読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するように、前記複数のタイルを記憶するステップを含む方法。
【請求項６３】
イメージを記憶する方法において、
（ａ）複数のタイルを含むようにフォーマットされたソースイメージを提供し、
前記ソースイメージは複数のタイルを含み、前記タイルのサイズがブロックサイズの整数倍であるようにフォーマットされた記憶装置に、データがブロック境界と完全に整列されるように、前記複数のタイルが記憶されており、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶し、
（ｂ）タイルの第１のコーナーで順次開始し、タイルの対角で対向するコーナーで終了するタイルの画素の各行を記憶し、
（ｃ）隣接するオーバーラップしているタイルの第１のコーナーにスキップし、全てのタイルが記憶されるまで前記ステップ（ｂ）を反復するステップを含む方法。
【請求項６４】
イメージデータを１次元記憶装置から読取る方法において、
（ａ）（ｉ）イメージデータのタイルの開始点を一度探すことと、
（ii）記憶装置を再度探すことなく、最初から最後までタイルのイメージデータの全てを読取ることとにより、
前記記憶装置からイメージデータを読取るように制御装置に命令し、
（ｂ）前記読取られたイメージデータを転送するステップを含み、
前記イメージデータは複数のタイルとして前記記憶装置に記憶されており、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項６５】
イメージデータを１次元記憶装置から読取る方法において、
（ａ）（ｉ）イメージデータの開始点を探すことと、
（ii）最初から最後まで前記イメージデータの全てを読取ることとにより、
前記記憶装置から前記イメージデータを読取るように制御装置に命令し、
（ｂ）前記イメージデータを転送するステップを含み、
前記イメージデータは複数のタイルとして前記記憶装置に記憶されており、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項６６】
イメージデータを１次元記憶装置から読取る方法において、
（ａ）前記記憶装置におけるイメージデータのタイルを一度探し、
（ｂ）前記記憶装置を再度探すことなく、最初から最後までタイルのイメージデータを読取り、
（ｃ）前記イメージデータを転送するステップを含み、
前記イメージデータは複数のタイルとして前記記憶装置に記憶されており、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項６７】
複数のタイルとして１次元で記憶されている２次元イメージデータを読取る方法において、
前記複数のタイル中の１つのタイルの開始点を一度探し、
開始点で開始するデータのタイル全体を一度読取り、その読取りは再度探すことなく行われ、
前記一度読取られたデータを転送するステップを含み、
各タイルは連続するデータ流によって規定されており、前記２次元イメージデータは複数のタイルとして記憶装置に記憶されており、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するステップは、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するステップを含む方法。
【請求項６８】
データを一度探し、一度読取り、一度読取られたデータを転送するシーケンスが複数回反復される請求項６７記載の方法。
【請求項６９】
前記転送された一度読取られたデータは前記ディスプレイの観察境界内で表示することができる請求項６７記載の方法。
【請求項７０】
イメージデータを記憶する方法において、
ソースイメージの画素データの複数のタイルを１次元記憶装置に記憶するステップを含み、
各タイルは、連続する画素データ流により規定されており、
前記イメージデータは複数のタイルとして前記記憶装置に記憶されており、前記タイルのサイズがブロックサイズの整数倍であるようにフォーマットされた記憶装置に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶し、
前記複数のタイルは連続して前記記憶装置に記憶され、
前記オーバーラップしている領域は各イメージ出力が単一のタイル内に全体的に含まれるように配置され、
各イメージ出力は、タイルの開始点を一度探し、その後再度探すことなく、最初から最後までタイルの画素データを読取ることにより得られる方法。
【請求項７１】
前記ソースイメージのソースファイルは大きさが２ギガバイト（ＧＢ）よりも大きい請求項７０記載の方法。
【請求項７２】
それぞれのオーバーラップしている領域は前記ディスプレイの観察境界内で表示される画素データを含んでいる請求項７０記載の方法。
【請求項７３】
前記観察境界は前記ディスプレイのスクリーンの周縁部である請求項７２記載の方法。
【請求項７４】
画素データの各タイルは画素データの複数の行を含んでいる請求項７０記載の方法。
【請求項７５】
各行は画素データの複数のブロックを含んでいる請求項７４記載の方法。
【請求項７６】
画素データの各タイルは少なくとも１つのタイルセクションを含み、前記少なくとも１つのタイルセクションの行は連続して前記記憶装置により記憶されている請求項７４記載の方法。
【請求項７７】
前記ソースイメージのソースファイルはｂｍｐ、ｂｉｍ、ｊｐｇ、またはｔｉｆｆファイルである請求項７０記載の方法。
【請求項７８】
前記ソースイメージのソースファイルは映画ファイルである請求項７０記載の方法。
【請求項７９】
前記複数のタイルは第１および第２のタイルに隣接し、オーバーラップしている領域を有している第３のタイルを含み、前記第１のタイルのオーバーラップしている領域と前記第２のタイルのオーバーラップしている領域と前記第３のタイルのオーバーラップしている領域とは実質上共通の画素データを含んでいる請求項７０記載の方法。
【請求項８０】
前記複数のタイルは単一のファイルとして記憶される請求項７０記載の方法。
【請求項８１】
コンピュータ読取可能な記憶媒体において、
（ａ）（ｉ）前記イメージデータのタイルの開始点を一度探すことと、
（ii）再度探すことなく、最初から最後までタイルのイメージデータの全てを読取ることとにより、
前記コンピュータ読取可能な記憶媒体から前記イメージデータを読取るように制御装置に命令し、
（ｂ）観察するために前記イメージデータを転送するための複数のプロセッサ実行可能な命令で符号化され、
前記イメージデータは複数のタイルとして前記コンピュータ読取可能な記憶媒体に記憶されており、各タイルは連続するデータ流によって規定されており、前記タイルのサイズがブロックサイズの整数倍であるようにフォーマットされたコンピュータ読取可能な記憶媒体に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するための命令は、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するための命令を含むコンピュータ読取可能な記憶媒体。
【請求項８２】
コンピュータ読取可能な記憶媒体において、
（ａ）前記コンピュータ読取可能な記憶媒体のイメージデータのタイルを一度探し、
（ｂ）前記コンピュータ読取可能な記憶媒体を再度探すことなく、最初から最後まで前記タイルのイメージデータを読取り、
（ｃ）観察するために前記イメージデータを転送するための複数のプロセッサ実行可能な命令により符号化され、
前記イメージデータは複数のタイルとしてコンピュータ読取可能な記憶媒体に記憶されており、各タイルは連続するデータ流によって規定されており、前記タイルのサイズがブロックサイズの整数倍であるようにフォーマットされたコンピュータ読取可能な記憶媒体に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するための命令は、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するための命令を含むコンピュータ読取可能な記憶媒体。
【請求項８３】
コンピュータ読取可能な記憶媒体において、
２次元のイメージデータが１次元で記憶されている複数のタイル中の１つのタイルの開始点を一度探し、
開始点で開始するデータのタイル全体を一度読取り、その読取りは再度探すことなく行われ、
前記一度読取られたデータを転送するための複数のプロセッサ実行可能な命令で符号化され、
各タイルは連続するデータ流によって規定されており、前記イメージデータは複数のタイルとしてコンピュータ読取可能な記憶媒体に記憶されており、前記タイルのサイズがブロックサイズの整数倍であるようにフォーマットされたコンピュータ読取可能な記憶媒体に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記転送するための命令は、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するための命令を含むコンピュータ読取可能な記憶媒体。
【請求項８４】
コンピュータ読取可能な記憶媒体において、
ソースイメージの画素データの複数のタイルを、１次元記憶装置に記憶するための複数のプロセッサの実行可能な命令により符号化され、
各タイルは連続するデータ流によって規定されており、イメージデータは複数のタイルとしてコンピュータ読取可能な記憶媒体に記憶されており、前記タイルのサイズがブロックサイズの整数倍であるようにフォーマットされたコンピュータ読取可能な記憶媒体に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記複数のタイルは連続して前記コンピュータ読取可能な記憶媒体に記憶され、
オーバーラップしている領域は各イメージ出力が単一のタイル内に全体的に含まれるように配置され、
各イメージ出力は、タイルの開始点を一度探し、その後再度探すことなく、最初から最後までタイルの画素データを読取ることにより得られ、
読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するコンピュータ読取可能な記憶媒体。
【請求項８５】
イメージの画素データの複数のタイルにより符号化されたコンピュータ読取可能な記憶媒体において、
前記タイルのサイズがブロックサイズの整数倍であるようにフォーマットされたコンピュータ読取可能な記憶媒体に、データがブロック境界と完全に整列されるように、前記複数のタイルが記憶されており、前記各タイルの領域はディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、
前記複数のタイルは連続して記憶され、オーバーラップしている領域は、イメージ出力が単一のタイル内に全体的に含まれるように配置され、前記イメージ出力は、タイルの開始点を一度探し、その後再度探すことなく、最初から最後までタイルの画素データを読取ることにより得られ、読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶するコンピュータ読取可能な記憶媒体。
【請求項８６】
スケールされたイメージを記憶する方法において、
（ａ）イメージを記憶装置に記憶し、
（ｂ）前記イメージの多数のスケールされたレベルを生成して記憶する命令を受信し、
（ｃ）前記命令にしたがって前記イメージをスケールし、
（ｄ）前記スケールされたレベルを前記記憶装置に記憶するステップを含み、
前記イメージは少なくとも第１のスケールファクタと第２のスケールファクタとのうちの１つにしたがってスケール可能であり、前記第１のスケールファクタは前記第２のスケールファクタの２の累乗の倍数ではなく、
前記タイルのサイズがブロックサイズの整数倍であるようにフォーマットされた記憶装置に、データがブロック境界と完全に整列されるように記憶されている複数のタイルを、前記スケールされたイメージが含み、前記各タイルの領域は前記ディスプレイ上に表示することができる領域以上であり、前記タイルのうち隣接する２つのタイルは前記ディスプレイ上に表示することができる領域以上の領域でオーバーラップしており、該オーバーラップした領域の高さ及び幅は前記ディスプレイ上に表示される領域の高さ及び幅以上であり、読取り命令または表示命令を受信したときに、表示イメージを含む第１のタイルをオンスクリーンＶＲＡＭに記憶し、観察するために前記表示イメージを前記オンスクリーンＶＲＡＭから前記ディスプレイへ転送し、ユーザが前記表示イメージをパニングするとき、前記第１のタイルに隣接する第２のタイルをオフスクリーンＶＲＡＭに記憶する方法。
【誤訳訂正２】
【訂正対象書類名】明細書
【訂正対象項目名】００４６
【訂正方法】変更
【訂正の内容】
【００４６】
システムはトラックボール、マウス、ジョイスティックまたは他のインターフェース装置を介してユーザからの入力を受取り、したがってイメージを表示できる。プログラムはこれらがソフトウェアライブラリに現れるとき幾つかの機能呼を使用し、これを実現する。メインループの図が図２１に示されている。display_image機能はＶＲＡＭバッファの更新と、ＶＲＡＭ内の正確なウィンドウの表示を行う。この機能を示す図面は図２２に示されている。
【誤訳訂正３】
【訂正対象書類名】明細書
【訂正対象項目名】００６８
【訂正方法】変更
【訂正の内容】
【００６８】
実施形態は、スケールされたレベルを記憶装置に記憶するステップの後に、特定のスケールされたレベルのイメージをディスプレイで観察するために送信する命令を受信するステップを含むことができる。この受信ステップは多スケールされたレベルのイメージを発生して記憶する命令の受信を含んでおり、スケールファクタは０と１の間の小数点第３位までの数と、０と１の間の小数点第５位までの数と、０と１の間の小数点第１０位までの数とからなるグループから選択される。さらに、イメージはタイルにより規定され、各タイルは２以上のタイルセクションを有し、各タイルセクションの幅はディスプレイの幅が各タイルセクションの幅の倍数であり、各タイルセクションの高さがディスプレイの高さよりも大きいかほぼ等しいようにされている。